(57)【要約】【課題】映像を容易に見得るよう表示させることができ、かつその内容を容易に把握させることができる。【解決手段】テレビは、リモコン受信部１８と、アンテナ１１と、チューナ１２と、処理部１７と、表示部１６とを含む。リモコン受信部１８は、ユーザの指令を受付ける。アンテナ１１は、放送信号を受付ける。チューナ１２は、放送信号のいずれかを抽出する。処理部１７は、画面の中心よりも隅に近い位置に表示される映像であり、変更する項目の仕様に関らず同一である文字の映像であり、かつ変更する項目の仕様に文字色の明度が対応する映像の、第２映像信号を生成し、映像の表示の仕様を制御するための、制御信号を生成する。表示部１６は、第１映像信号と第２映像信号と制御信号とに応じて、映像を表示する。【選択図】図１
2007124104.tif 000002
【特許請求の範囲】
【請求項１】
ユーザの指令を受付けるための第１の受付手段と、
放送信号を受付けるための第２の受付手段と、
前記第２の受付手段が受付けた放送信号のいずれかを抽出するための抽出手段と、
映像の表示の仕様のうち変更する項目を選択する指令および前記仕様を指定する指令のいずれかを前記第１の受付手段が受付けると、画面の中心よりも隅に近い位置に表示される映像であり、前記変更する項目の仕様に関らず同一である文字の映像であり、かつ前記変更する項目の仕様に文字色の明度が対応する映像の、映像信号を生成するための第１の生成手段と、
前記仕様を指定する指令を前記第１の受付手段が受付けると、前記映像の表示の仕様を制御するための、制御信号を生成するための第２の生成手段と、
前記抽出手段が抽出した放送信号と映像信号と制御信号とに応じて、映像を表示するための表示手段とを含む、テレビ。
【請求項２】
ユーザの指令を受付けるための受付手段と、
映像の表示の仕様のうち変更する項目を選択する指令および前記仕様を指定する指令のいずれかを前記受付手段が受付けると、画面の中心よりも隅に近い位置に表示される映像でありかつ前記変更する項目の仕様に関らず同一である文字の映像の、映像信号を生成するための第１の生成手段と、
前記仕様を指定する指令を前記受付手段が受付けると、前記映像の表示の仕様を制御するための、制御信号を生成するための第２の生成手段と、
前記映像を表示する表示装置に対し、前記映像信号と制御信号とを出力するための出力手段とを含む、制御装置。
【請求項３】
前記第１の生成手段は、画面の中心よりも隅に近い位置に表示される映像であり、前記変更する項目の仕様に関らず同一である文字の映像であり、かつ前記変更する項目の仕様に文字色が対応する映像の、前記映像信号を生成するための手段を含む、請求項２に記載の制御装置。
【請求項４】
前記映像信号を生成するための手段は、前記変更する項目の仕様に文字色の色相が対応する映像の、前記映像信号を生成するための手段を含む、請求項３に記載の制御装置。
【請求項５】
前記映像信号を生成するための手段は、前記変更する項目の仕様に文字色の明度が対応する映像の、前記映像信号を生成するための手段を含む、請求項３に記載の制御装置。
【請求項６】
前記第１の生成手段は、画面の中心よりも隅に近い位置に表示される映像であり、前記変更する項目の仕様に関らず同一である文字の映像であり、かつ前記変更する項目の仕様に応じて文字の一部を切り欠いた映像の、前記映像信号を生成するための手段を含む、請求項２に記載の制御装置。
【請求項７】
ユーザの指令を受付ける受付ステップと、
映像の表示の仕様のうち変更する項目を選択する指令および前記仕様を指定する指令のいずれかを前記受付ステップにおいて受付けると、画面の中心よりも隅に近い位置に表示される映像でありかつ前記変更する項目の仕様に関らず同一である文字の映像の、映像信号を生成する第１の生成ステップと、
前記仕様を指定する指令を前記受付ステップにおいて受付けると、前記映像の表示の仕様を制御するための、制御信号を生成する第２の生成ステップと、
前記映像を表示する表示装置に対し、前記映像信号と制御信号とを出力する出力ステップとを含む各ステップをコンピュータに実行させるための制御プログラム。
【請求項８】
ユーザの指令を受付ける受付ステップと、
映像の表示の仕様のうち変更する項目を選択する指令および前記仕様を指定する指令のいずれかを前記受付ステップにおいて受付けると、画面の中心よりも隅に近い位置に表示される映像でありかつ前記変更する項目の仕様に関らず同一である文字の映像の、映像信号を生成する第１の生成ステップと、
前記仕様を指定する指令を前記受付ステップにおいて受付けると、前記映像の表示の仕様を制御するための、制御信号を生成する第２の生成ステップと、
前記映像を表示する表示装置に対し、前記映像信号と制御信号とを出力する出力ステップとを含む各ステップをコンピュータに実行させるための制御プログラムを記録したコンピュータ読取り可能な記録媒体。
【発明の詳細な説明】
【技術分野】
【０００１】
本発明は、テレビ、制御装置、制御プログラム、および制御プログラムを記録したコンピュータ読取り可能な記録媒体に関し、特に、受信機回路を用いて付加的な情報を表示するためのテレビ、制御装置、制御プログラム、および制御プログラムを記録したコンピュータ読取り可能な記録媒体に関する。
【背景技術】
【０００２】
特許文献１は、送信される画像信号を画像に変換して機器のディスプレイに表示させるガイド表示装置を開示する。ガイド表示装置は、画像の調整、機器の機能の設定などの操作を対話的にするための操作メニューを有する表示の切換え指示、パネル内の項目の移動などのメニューの変更の指示および機器本体の操作を入力する操作部と、操作メニューを構成するための部品の形状、配置、動作などのメニュー情報を予め記憶しているメニュー記憶部と、操作部からの指示に基づいて、メニュー表示の切換えの指示、メニュー表示の変更の指示を出力し、更に所定の場合に画像信号を出力して画像表示の指示または画像調整の指示を出力するメニュー制御部と、メニュー制御部から出力された表示の切換えの指示またはメニューの変更の指示に従い、メニュー記憶部からメニュー情報を読み出し、ディスプレイの一部に操作メニューを表示させ、消去させまたは変更させる画像制御部と、ディスプレイの他の一部に小画面を設け、メニュー制御部から出力された画像信号、画像表示の指示に従い小画面内に画像を表示させ、消去させ、画像信号、画像調整の指示に従い、小画面内に画像を調整表示させる小画面制御部とを備える。
【０００３】
特許文献１に開示された発明によると、メニューを表示でき、かつ、機器の機能の設定などを容易にできる。
【０００４】
特許文献２は、映像信号を表示するＣＲＴ（Cathode-Ray Tube）と、Ｎ個（Ｎは２以上の整数）の情報を映像信号に重畳させてＣＲＴの表示画面の所定位置に順次並列表示するシステムコントロール部と、表示画面上に表示すべき情報を指定するためのリモートコントロール操作器とを具備する映像表示装置を開示する。システムコントロール部は、リモートコントロール操作器からＮ個よりも少ない情報をＣＲＴに表示する旨の指示を受けた場合には、表示画面の隅に最も近接する位置に優先的に表示するよう表示位置を変更する。
【０００５】
特許文献２に開示された発明によると、簡単な操作で、映像信号の受像画像が見やすい状態で、各種情報を画面上に表示させることができる。
【０００６】
特許文献３は、表示指令の入力があると、マイクロコンピュータに接続されている各ＩＣ（Integrated Circuit）の名称、アドレス、制御データ、およびマイクロコンピュータの各ポートの名称、その状態をＯＳＤ（On Screen Display）機能により画面表示するＯＳＤ機能付システムを開示する。
【０００７】
特許文献３に開示された発明によると、ユーザによる調整や工程における調整を容易にできる。
【特許文献１】特開平８−２１４２２７号公報
【特許文献２】特開平８−４６８８６号公報
【特許文献３】特開２００４−２７４４２４号公報
【発明の開示】
【発明が解決しようとする課題】
【０００８】
しかし、特許文献１および特許文献２に開示された発明では、映像以外の情報が表示されている間、ユーザがその情報に注目するので、映像が見やすいにも関らず、その内容を把握しにくくなるという問題点がある。
【０００９】
特許文献３に開示された発明では、制御データなどが表示されている間、放送中の番組が表示されなくなったり、番組の映像が見づらくなったりすることがあるという問題点がある。
【００１０】
本発明は上述の問題点を解決するためになされたものであって、その目的は、映像を容易に見得るよう表示させることができ、かつその内容を容易に把握させることができるテレビ、制御装置、制御プログラム、および制御プログラムを記録したコンピュータ読取り可能な記録媒体を提供することにある。
【課題を解決するための手段】
【００１１】
上記目的を達成するために、本発明のある局面に従うと、テレビは、第１の受付手段と、第２の受付手段と、抽出手段と、第１の生成手段と、第２の生成手段と、表示手段とを含む。第１の受付手段は、ユーザの指令を受付ける。第２の受付手段は、放送信号を受付ける。抽出手段は、第２の受付手段が受付けた放送信号のいずれかを抽出する。第１の生成手段は、映像の表示の仕様のうち変更する項目を選択する指令および仕様を指定する指令のいずれかを第１の受付手段が受付けると、画面の中心よりも隅に近い位置に表示される映像であり、変更する項目の仕様に関らず同一である文字の映像であり、かつ変更する項目の仕様に文字色の明度が対応する映像の、映像信号を生成する。第２の生成手段は、仕様を指定する指令を第１の受付手段が受付けると、映像の表示の仕様を制御するための、制御信号を生成する。表示手段は、抽出手段が抽出した放送信号と映像信号と制御信号とに応じて、映像を表示する。
【００１２】
本発明の他の局面に従うと、制御装置は、受付手段と、第１の生成手段と、第２の生成手段と、出力手段とを含む。受付手段は、ユーザの指令を受付ける。第１の生成手段は、映像の表示の仕様のうち変更する項目を選択する指令および仕様を指定する指令のいずれかを受付手段が受付けると、画面の中心よりも隅に近い位置に表示される映像でありかつ変更する項目の仕様に関らず同一である文字の映像の、映像信号を生成する。第２の生成手段は、仕様を指定する指令を受付手段が受付けると、映像の表示の仕様を制御するための、制御信号を生成する。出力手段は、映像を表示する表示装置に対し、映像信号と制御信号とを出力する。
【００１３】
また、上述の第１の生成手段は、画面の中心よりも隅に近い位置に表示される映像であり、変更する項目の仕様に関らず同一である文字の映像であり、かつ変更する項目の仕様に文字色が対応する映像の、映像信号を生成するための手段を含むことが望ましい。
【００１４】
もしくは、上述の映像信号を生成するための手段は、変更する項目の仕様に文字色の色相が対応する映像の、映像信号を生成するための手段を含むことが望ましい。
【００１５】
もしくは、上述の映像信号を生成するための手段は、変更する項目の仕様に文字色の明度が対応する映像の、映像信号を生成するための手段を含むことが望ましい。
【００１６】
また、上述の第１の生成手段は、画面の中心よりも隅に近い位置に表示される映像であり、変更する項目の仕様に関らず同一である文字の映像であり、かつ変更する項目の仕様に応じて文字の一部を切欠いた映像の、映像信号を生成するための手段を含むことが望ましい。
【００１７】
本発明の他の局面に従うと、制御プログラムは、受付ステップと、第１の生成ステップと、第２の生成ステップと、出力ステップとを含む各ステップをコンピュータに実行させる。受付ステップは、ユーザの指令を受付ける。第１の生成ステップは、映像の表示の仕様のうち変更する項目を選択する指令および仕様を指定する指令のいずれかを受付ステップにおいて受付けると、画面の中心よりも隅に近い位置に表示される映像でありかつ変更する項目の仕様に関らず同一である文字の映像の、映像信号を生成する。第２の生成ステップは、仕様を指定する指令を受付ステップにおいて受付けると、映像の表示の仕様を制御するための、制御信号を生成する。出力ステップは、映像を表示する表示装置に対し、映像信号と制御信号とを出力する。
【００１８】
本発明の他の局面に従うと、記録媒体は、制御プログラムを記録したコンピュータ読取可能な記録媒体である。制御プログラムは、受付ステップと、第１の生成ステップと、第２の生成ステップと、出力ステップとを含む各ステップをコンピュータに実行させる。受付ステップは、ユーザの指令を受付ける。第１の生成ステップは、映像の表示の仕様のうち変更する項目を選択する指令および仕様を指定する指令のいずれかを受付ステップにおいて受付けると、画面の中心よりも隅に近い位置に表示される映像であり、かつ変更する項目の仕様に関らず同一である文字の映像の、映像信号を生成する。第２の生成ステップは、仕様を指定する指令を受付ステップにおいて受付けると、映像の表示の仕様を制御するための、制御信号を生成する。出力ステップは、映像を表示する表示装置に対し、映像信号と制御信号とを出力する。
【発明の効果】
【００１９】
本発明に係るテレビ、制御装置、制御プログラム、および制御プログラムを記録したコンピュータ読取り可能な記録媒体は、映像を容易に見得るよう表示させることができ、かつその内容を容易に把握させることができる。
【発明を実施するための最良の形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
図１には、この発明の実施の形態に適用されるテレビの構成が示される。図１の構成はＮＴＳＣ（National Television System Committee Standard）に従う放送信号を受信する場合のシステムを示すが、放送信号はＮＴＳＣに従うものに限定されず、ＡＴＳＣ（Advanced Television System Committee）に従うものであってもよい。
【００２２】
図１においてテレビは、放送信号を受信により受付けるアンテナ１１、所定チャンネルの周波数を指示する選局信号２３に基づいて同調動作して、アンテナ１１により受信した放送信号のうちの、所定チャンネルに対応の放送信号２４を選択的に抽出して出力するチューナ１２、チューナ１２から出力された放送信号２４を入力して処理して、第１映像信号２６を出力するＮＴＳＣデコーダ１３、テレビ自体を集中的に制御するＭＰＵ（Micro Processor Unit）１４、ＭＰＵ１４によりアクセスされる各種情報（後述するプログラムはこの「各種情報」に含まれる）を記憶するメモリ１５、与えられる情報に基づいて画像などの情報を表示する表示部１６、表示部１６にＯＳＤ（On Screen Display）などに従う情報を出力するための処理部１７、リモコン（リモートコントローラの略）１９から送信される赤外線などによる操作信号２７を受信して、受信した操作信号２７をデータに変換してＭＰＵ１４に与えるリモコン受信部１８、およびメモリカード２１からデータやプログラムを読取るメモリカードドライブ２０を備える。
【００２３】
ＭＰＵ１４は内部にタイマ４１を有し、タイマ４１は現在時刻を計時する機能を有する。
【００２４】
リモコン１９の主表面にはユーザのための操作パネルが設けられる。操作パネルには、表示部１６における後述のカーソルを画面上で左右方向または上下方向に移動させるために操作されるカーソルキー９１、所望チャンネルの直接指定をするために操作されるテンキー９２、操作内容を決定するために操作される決定キー９３、および映像の仕様（コントラストや色合いなど、映像の表示の仕方を特定する諸要件）を選択するために操作されるメニューキー９４を備える。リモコン１９に備えられるキーの種類はこれに限定されない。
【００２５】
メモリ１５には、チャンネルマップ５１が記憶される。チャンネルマップ５１には、図１のアンテナ１１を介して受信可能な放送信号に対応のすべてのチャンネルの番号が登録される。
【００２６】
このテレビは、コンピュータハードウェアとＭＰＵ１４により実行されるソフトウェアとにより実現される。一般的にこうしたソフトウェアは、メモリカード２１などの記録媒体に格納されて流通し、メモリカードドライブ２１などにより記録媒体から読取られてメモリ１５に一旦格納される。さらにＭＰＵ１４により実行される。上述したコンピュータのハードウェア自体は一般的なものである。したがって、本発明の最も本質的な部分は、メモリカード２１などの記録媒体に記録されたソフトウェアである。
【００２７】
図２を参照して、テレビで実行されるプログラムは、表示の仕様の調整に関し、以下のような制御を実行する。
【００２８】
ステップ１００（以下ステップをＳと略す。）にて、リモコン受信部１８は、リモコン１９からの信号を受信することにより、ユーザの指令を受付ける。
【００２９】
Ｓ１０２にて、リモコン受信部１８は、リモコン１９から受信した信号をＭＰＵ１４に出力する。ＭＰＵ１４は、リモコン受信部１８が出力した信号を解析する。信号が解析されると、ＭＰＵ１４は、自らが解析した信号に基づき、リモコン１９のメニューキー９４が押されたか否かを判断する。メニューキー９４が押されたと判断した場合（Ｓ１０２にてＹＥＳ）、処理はＳ１０４へと移される。もしそうでないと（Ｓ１０２にてＮＯ）、処理はＳ１０６へと移される。
【００３０】
Ｓ１０４にて、処理部１７は、第２映像信号を生成する。本実施の形態において、「第２映像信号」とは、画面の中心よりも隅に近い位置に表示される映像でありかつ変更する項目の仕様に関らず同一である文字の映像の信号である。本実施の形態において、「変更する項目」は映像の仕様の１項目を表わす。「映像の仕様」は映像の表示の仕様を表わす。「映像の仕様」には映像のコントラストや、映像の明るさや、映像の縦横比や、映像の色合いなどが含まれる。信号が生成されると、処理部１７は自らが含む端子を通じて、生成した信号を表示部１６に出力する。表示部１６は、処理部１７が生成した信号に応じて、映像を表示する。これにより、表示部１６は項目名を画面の隅に表示することとなる。本実施の形態の場合、処理部１７は、メニューキー９４が押された回数に対応するように項目名を表わす映像の信号を生成することとする。
【００３１】
Ｓ１０６にて、ＭＰＵ１４はリモコン１９のカーソルキー９１が押されたか否かを判断する。カーソルキー９１が押されたと判断した場合（Ｓ１０６にてＹＥＳ）、処理はＳ１０８へと移される。もしそうでないと（Ｓ１０６にてＮＯ）、処理はＳ１１０へと移される。
【００３２】
Ｓ１０８にて、処理部１７は、画面の中心よりも隅に近い位置に表示される映像でありかつ変更する項目の仕様に関らず同一である文字の映像の、第２映像信号を生成する。映像信号を生成する際、処理部１７は、変更する項目の仕様に文字色の明度を対応させる。映像信号が生成されると、処理部１７は、ＭＰＵ１４の制御により、映像の表示の仕様を制御するための、制御信号を生成する。制御信号が生成されると、処理部１７は、自らの端子を介して表示部１６に制御信号を出力する。処理部１７の出力端子は、映像を表示する表示部１６に対し、自らが生成した第２映像信号と制御信号とを出力する。表示部１６は、チューナ１２が抽出した第１映像信号２６と処理部１７が生成した第２映像信号と制御信号とに応じて、映像を表示する。これにより、映像の仕様が変更されることとなる。
【００３３】
Ｓ１１０にて、ＭＰＵ１４はリモコン１９の各キーがいずれも押されていないか否かを判断する。いずれも押されていないと判断した場合（Ｓ１１０にてＹＥＳ）、処理はＳ１１２へと移される。もしそうでないと（Ｓ１１０にてＮＯ）、処理はＳ１１６へと移される。
【００３４】
Ｓ１１２にて、ＭＰＵ１４は、タイマ４１が計数した時刻を参照することにより、メニューキー９４およびカーソルキー５１のいずれかが押された後、一定の時間（本実施の形態の場合３０秒間）が経過したか否かを判断する。メモリ１５は、予めメニューキー９４およびカーソルキー９１のいずれかが最後に押された時刻を記憶していることとする。一定の時間が経過したと判断した場合（Ｓ１１２にてＹＥＳ）、処理はＳ１１４へと移される。もしそうでないと（Ｓ１１２にてＮＯ）、処理はＳ１００へと移される。
【００３５】
Ｓ１１４にて、処理部１７は、項目名を表示させるための信号の生成を終了する。生成が終了すると、表示部１６の画面から項目名が消滅する。
【００３６】
以上のような構造およびフローチャートに基づく、テレビの動作について説明する。
リモコン受信部１８は、リモコン１９からの信号を受信する（Ｓ１００）。信号が受信されると、ＭＰＵ１４はリモコン１９のメニューキー９４が押されたか否かを判断する（Ｓ１０２）。この場合、メニューキー９４が押されていたとすると（Ｓ１０２にてＹＥＳ）、処理部１７は、第２映像信号を生成する。「第２映像信号」とは、画面の中心よりも隅に近い位置に表示される映像でありかつ変更する項目の仕様に関らず同一である文字の映像の信号のことである。これにより、処理部１７は、映像の表示の仕様のうち変更する項目を選択する指令（本実施の形態の場合、メニューキー９４を押すことがそのような指令をすることに相当する）をリモコン受信部１８が受付けると、画面の中心よりも隅に近い位置に表示される映像でありかつ変更する項目の仕様に関らず同一である文字の映像の信号を生成することとなる。表示部１６は項目名を画面の隅に表示する（Ｓ１０４）。図３はこのときの表示部１６の画面を表わす図である。
【００３７】
項目名が表示されると、Ｓ１００の処理を経て、ＭＰＵ１４はメニューキー９４が押されたか否かを判断する（Ｓ１０２）。この場合、再びメニューキー９４が押されていたとすると（Ｓ１０２にてＹＥＳ）、表示部１６は項目名を画面の隅に表示する（Ｓ１０４）。これにより、メニューキー９４が押されるたびに表示部１６が表示する項目名が変化することとなる。
【００３８】
メニューキー９４が繰返して押されることにより、項目名が一巡し、ユーザが調整を希望する項目名（コントラスト）が表示されると、ユーザはメニューキー９４を押すことを止める。この場合、メニューキー９４が押されなくなるので（Ｓ１０２にてＮＯ）、ＭＰＵ１４はカーソルキー９１が押されたか否かを判断する（Ｓ１０６）。この場合、ユーザはカーソルキー９１を押すので（Ｓ１０６にてＹＥＳ）、処理部１７は、第２映像信号と制御信号とを生成する。これにより、処理部１７は、仕様を指定する指令（本実施の形態の場合、カーソルキー９１を押すことがそのような指令をすることに相当する）をリモコン受信部１８が受付けると、画面の中心よりも隅に近い位置に表示される映像でありかつ変更する項目の仕様に関らず同一である文字の映像の、第２映像信号を生成することとなる。処理部１７は、仕様を指定する指令をリモコン受信部１８が受付けると、映像の表示の仕様を制御するための、制御信号を生成することとなる。表示部１６は、チューナ１２が抽出した第１映像信号２６と処理部１７が生成した第２映像信号と制御信号とに応じて、映像を表示する。これにより、表示部１６が表示する映像の仕様（この場合、映像のコントラスト）は変更される（Ｓ１０８）。図４は映像の仕様（この場合、映像のコントラスト）の調整の最中の表示部の画面を表わす図である。図３および図４から明らかなように、項目名「コントラスト」のみが表示される。映像の仕様（この場合、映像のコントラスト）を数値やグラフで表示することはない。
【００３９】
その後、Ｓ１００〜Ｓ１０８の処理が繰返される。ユーザは、映像の変化と項目名を表わす文字の映像の明度（明度は、色の濃さに対応する）の変化とを見つつカーソルキー９１を操作することにより、映像の仕様（図４の場合、映像のコントラスト）を調整する。本実施の形態の場合、映像の仕様を数値化した値が少なくなるにつれ明度が高くなるように、項目名の明度を調整する。
【００４０】
仕様（この場合、映像のコントラスト）の変更が終了し、ユーザがリモコン１９のキーから指を離すと（Ｓ１０６にてＮＯ）、ＭＰＵ１４はリモコン１９の何のキーも押されていないか否かを判断する（Ｓ１１０）。この場合、何らキーが押されていないので（Ｓ１１０にてＹＥＳ）。ＭＰＵ１４はメニューキー９４およびカーソルキー９１のいずれかが押された後一定の時間が経過したか否かを判断する（Ｓ１１２）。当初一定の時間が経過していないので（Ｓ１１２にてＮＯ）、Ｓ１００〜Ｓ１１２の処理が繰返される。その後、一定の時間が経過するので（Ｓ１１２にてＹＥＳ）、処理部１７は第２映像信号の生成を終了する。表示部１６の画面から項目名が消滅する（Ｓ１１４）。図５はこのときの表示部１６の画面を表わす図である。これにより、映像の仕様の調整が完了する。
【００４１】
以上のようにして、本実施の形態に係るテレビは、変更する項目の仕様に関らず同一である文字の映像（本実施の形態の場合、項目名のみを表わす映像）を画面の隅に表示する。項目名のみが画面の隅に表示されるので、番組の映像などを遮るスペースが小さい。そのようなスペースが小さいので、項目名のみを表わす映像は番組の映像の邪魔にならない。その上、項目名のみを表わす映像が表示されているので、ユーザの視線を映像に注がせながら映像の仕様を調整させることができる。「ユーザの視線を映像に注がせながら映像の仕様を調整させる」ので、ユーザは映像の内容を容易に把握できる。その結果、映像を容易に見得るよう表示させることができ、かつその内容を容易に把握させることができる。
【００４２】
なお、変形例として、Ｓ１０８にて、処理部１７は、第２映像信号として、画面の中心よりも隅に近い位置に表示される映像であり、変更する項目の仕様に関らず同一である文字の映像であり、かつ変更する項目の仕様に文字色が対応する映像の信号を生成してもよい。その場合、処理部１７は、第２映像信号として、変更する項目の仕様に、文字色のうち、文字色の色相が対応する映像の信号を生成してもよい。この場合、映像の仕様が変化するにつれ、項目名の色が暖色から寒色へ変化するなどといった現象が表れる。文字色の色相に代え、文字色の彩度が変更する項目の仕様に対応してもよい。
【００４３】
また、変形例として、Ｓ１０８にて、処理部１７は、項目名の一部が欠けるように第２映像信号を生成してもよい。処理部１７は、画面の中心よりも隅に近い位置に表示される映像であり、変更する項目の仕様に関らず同一である文字の映像であり、かつ変更する項目の仕様に応じて文字の一部を切欠いた映像の信号を生成してもよい。図６は、そのような場合に仕様の調整を開始した時点の表示部１６の画面を表わす図である。図７は仕様の調整の最中の表示部１６の画面を表わす図である。図８は仕様の調整を終了した時点の表示部１６の画面を表わす図である。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】本発明の実施の形態に係るテレビの制御ブロック図である。
【図２】本発明の実施の形態に係る表示の仕様の調整処理の制御の手順を示すフローチャートである。
【図３】本発明の実施の形態に係るコントラストの調整を開始した時点の表示部の画面を表わす図である。
【図４】本発明の実施の形態に係るコントラストの調整の最中の表示部の画面を表わす図である。
【図５】本発明の実施の形態に係るコントラストの調整を終了した時点の表示部の画面を表わす図である。
【図６】本発明の実施の形態の変形例に係る映像の仕様の調整を開始した時点の表示部の画面を表わす図である。
【図７】本発明の実施の形態の変形例に係る映像の仕様の調整の最中の表示部の画面を表わす図である。
【図８】本発明の実施の形態の変形例に係る映像の仕様の調整を終了した時点の表示部の画面を表わす図である。
【符号の説明】
【００４６】
１１  アンテナ、１２  チューナ、１３  ＮＴＳＣデコーダ、１４  ＭＰＵ、１５  メモリ、１６  表示部、１７  処理部、１８  リモコン受信部、１９  リモコン、２０  メモリカードドライブ、２１  メモリカード、２３  選局信号、２４  放送信号、２６  第１映像信号、２７  操作信号、４１  タイマ、５１  チャンネルマップ、９１  カーソルキー、９２  テンキー、９３  決定キー、９４  メニューキー。
【図１】
2007124104.tif 000003
【図２】
2007124104.tif 000004
【図３】
2007124104.tif 000005
【図４】
2007124104.tif 000006
【図５】
2007124104.tif 000007
【図６】
2007124104.tif 000008
【図７】
2007124104.tif 000009
【図８】
2007124104.tif 000010